(57)【特許請求の範囲】
【請求項１】
甲部と、この甲部の上に位置して甲部を締め付けるベルトとを備えており、
上記ベルトが、リボン状のベースと、第一面ファスナーと、第二面ファスナーとを有しており、
上記ベースが、センター部と、このセンター部と連続しており折り返しによってこのセンター部の上に位置しうる上側折り返し部と、このセンター部と連続しており折り返しによってこのセンター部の下に位置しうる下側折り返し部とを有しており、
上記第一面ファスナーが、上記センター部の表側面に接合された第一フック面と、上記上側折り返し部の表側面に接合された第一ループ面とからなり、
上記第二面ファスナーが、上記下側折り返し部の裏側面に接合された第二フック面と、上記センター部の裏側面に接合された第二ループ面とからなる釣り用フットウエア。
【請求項２】
上記甲部が、気泡を含むポリマー成形体を有する請求項１に記載のフットウェア。
【請求項３】
ボディと、
このボディに水密に接合されかつ甲部を有するレッグと、
このレッグに水密に接合されかつ甲部を締め付けるためのベルトを有するタビと、
を備えており、
上記ベルトが、リボン状のベースと、第一面ファスナーと、第二面ファスナーとを有しており、
上記ベースが、センター部と、このセンター部と連続しており折り返しによってこのセンター部の上に位置しうる上側折り返し部と、このセンター部と連続しており折り返しによってこのセンター部の下に位置しうる下側折り返し部とを有しており、
上記第一面ファスナーが、上記センター部の表側面に接合された第一フック面と、上記上側折り返し部の表側面に接合された第一ループ面とからなり、
上記第二面ファスナーが、上記下側折り返し部の裏側面に接合された第二フック面と、上記センター部の裏側面に接合された第二ループ面とからなるウェーダー。
【発明の詳細な説明】
【技術分野】
【０００１】
本発明は、釣り人等に着用されるフットウエアに関する。詳細には、本発明は、面ファスナーを備えたフットウエアに関する。
【背景技術】
【０００２】
鮎釣りでは、釣り人は体が水につかった状態で釣りを行う。釣り人は、体や衣服が濡れることを防ぐ目的で、ウェーダーを着用する。鮎釣りは、流れが速い川で行われることが多い。このような状況において人体が受ける水圧を抑制する目的で、鮎釣りでは、体にフィットするウェーダーが好んで用いられている。このウェーダーには、ポリクロロプレンを基材とする発泡体が用いられている。発泡体からなるトラウザーと、タビとが一体とされたウェーダーが、株式会社シマノ発行の「２００７  Ｆｉｓｈｉｎｇ  Ｔａｃｋｌｅ  Ｃａｔａｌｏｇｕｅ」の第２２９頁に記載されている。
【０００３】
タビは、ベルトを備えている。図９に、従来のベルト２が示されている。このベルト２は、リボン状のベース４と、面ファスナー６とを備えている。ベース４は、主部８と折り返し部１０とを備えている。面ファスナー６は、ループ面１２とフック面１４とを備えている。ループ面１２は、主部８に接合されている。フック面１４は、折り返し部１０に接合されている。主部８は、タビの甲部（図示されず）の上に位置している。折り返し部１０が引かれることにより、甲部が締め付けられる。折り返し部１０は、引かれた状態で環１６において折り返される。折り返し部１０は、矢印Ａで示される方向に移動させられる。移動により、フック面１４がループ面１２と係合する。係合により、ベルト２の全長が固定される。
【０００４】
係合後のベルト２の全長は、ループ面１２に対するフック面１４の位置に依存する。折り返し部１０が引かれる程度が大きい状態でフック面１４がループ面１２と係合した場合、ベルト２の全長は小さい。折り返し部１０が引かれる程度が小さい状態でフック面１４がループ面１２と係合した場合、ベルト２の全長は大きい。釣り人の足の甲が低い場合や、釣り人が強い締め付け力を好む場合は、ベルト２の全長が小さい状態で、タビが使用される。釣り人の足の甲が高い場合や、釣り人が弱い締め付け力を好む場合は、ベルト２の全長が大きい状態で、タビが使用される。ベルト２の全長が大きい状態では、ループ面１２のうち図９における左端近傍は、フック面１４と積層されない。この場合、ループ面１２の一部は露出する。
【０００５】
もし、主部８にフック面１４が接合され、折り返し部１０にループ面１２が接合された場合において、ベルト２の全長が大きい状態でタビが使用されると、フック面１４が露出する。このフック面１４には、釣り糸が絡まる。さらに、このフック面１４に砂やゴミが溜まる。かかる不都合を生じさせないために、主部８に、フック面１４ではなく、ループ面１２が設けられている。
【先行技術文献】
【非特許文献】
【０００６】
【非特許文献１】株式会社シマノ発行の「２００７  Ｆｉｓｈｉｎｇ  Ｔａｃｋｌｅ  Ｃａｔａｌｏｇｕｅ」
【発明の概要】
【発明が解決しようとする課題】
【０００７】
フック面１４がループ面１２と積層されるとき、釣り人は、折り返し部１０の幅方向中心が主部８の幅方向中心と一致するように、折り返し部１０を誘導すべきである。しかし、この誘導は容易ではない。中心が多少ずれた状態で、図９において矢印Ａで示される方向に、折り返し部１０が移動させられることもある。本明細書では、この移動が、「中心ずれの移動」と称される。中心ずれの移動がなされると、フック面１４が甲部に当接する。フック面１４のフックは尖部を有しており、かつこのフックの材質は一般に硬質である。中心ずれの移動により、フックが甲部を引っ掻く。甲部は、フックによって傷つけられる。特に、発泡体からなる甲部では、傷つきが激しい。引っ掻きが繰り返されることにより、傷が成長する。甲部が防水性である場合、傷によってこの防水性が損なわれることもある。
【０００８】
本発明の目的は、甲部の傷つきが生じにくい釣り用フットウエアの提供にある。
【課題を解決するための手段】
【０００９】
本発明に係る釣り用フットウエアは、甲部と、この甲部の上に位置して甲部を締め付けるベルトとを備える。このベルトは、リボン状のベースと、第一面ファスナーと、第二面ファスナーとを有する。このベースは、センター部と、このセンター部と連続しており折り返しによってこのセンター部の上に位置しうる上側折り返し部と、このセンター部と連続しており折り返しによってこのセンター部の下に位置しうる下側折り返し部とを有する。第一面ファスナーは、センター部の表側面に接合された第一フック面と、上側折り返し部の表側面に接合された第一ループ面とからなる。第二面ファスナーは、下側折り返し部の裏側面に接合された第二フック面と、センター部の裏側面に接合された第二ループ面とからなる。
【００１０】
甲部が気泡を含むポリマー成形体において、上記第一面ファスナーによる顕著な効果が奏される。
【００１１】
本発明に係るウェーダーは、ボディと、このボディに水密に接合されかつ甲部を有するレッグと、このレッグに水密に接合されかつ甲部を締め付けるためのベルトを有するタビとを備える。ベルトは、リボン状のベースと、第一面ファスナーと、第二面ファスナーとを有する。ベースは、センター部と、このセンター部と連続しており折り返しによってこのセンター部の上に位置しうる上側折り返し部と、このセンター部と連続しており折り返しによってこのセンター部の下に位置しうる下側折り返し部とを有する。第一面ファスナーは、センター部の表側面に接合された第一フック面と、上側折り返し部の表側面に接合された第一ループ面とからなる。第二面ファスナーは、下側折り返し部の裏側面に接合された第二フック面と、センター部の裏側面に接合された第二ループ面とからなる。
【発明の効果】
【００１２】
本発明に係るフットウエアでは、上側折り返し部が第一ループ面を有する。上側折り返し部は、フック面を有さない。従って、上側折り返し部に中心ずれの移動がなされても、フックが甲部を引っ掻かない。このフットウェアでは、甲部の傷つきが生じない。甲部が防水性を備えている場合、この防水性が傷で損なわれることがない。このフットウェアでは、第二面ファスナーによってベルトの全長が調整されうる。従って、ベルトの全長にかかわらず、第一フック面の全体が第一ループ面で覆われうる。第一フック面のフックが露出しないので、このフックに釣り糸が絡まない。
【図面の簡単な説明】
【００１３】
【図１】図１は、本発明の一実施形態に係る釣り用フットウエアとしてのウェーダーが示された斜視図である。
【図２】図２は、図１のウェーダーの右タビ及び右レッグが示された拡大右側面図である。
【図３】図３は、図１のウェーダーの右タビ及び右レッグが示された拡大左側面図である。
【図４】図４は、図１のウェーダーのベルトの断面が示された展開図である。
【図５】図５は、図４のベルトがインサイド環及びアウトサイド環と共に示された断面図である。
【図６】図６は、図４のベルトがインサイド環及びアウトサイド環と共に示された断面図である。
【図７】図７は、図４のベルトがインサイド環及びアウトサイド環と共に示された断面図である。
【図８】図８は、図４のベルトの一部が示された拡大平面図である。
【図９】図９は、従来のベルトが示された断面図である。
【発明を実施するための形態】
【００１４】
以下、適宜図面が参照されつつ、好ましい実施形態に基づいて本発明が詳細に説明される。
【００１５】
図１に示されたウェーダー２０は、ボディ２２、右レッグ２８、左レッグ３０、右タビ３２及び左タビ３４を備えている。右レッグ２８及び左レッグ３０は、それぞれ、ボディ２２に水密に接合されている。右タビ３２は、右レッグ２８に水密に接合されている。左タビ３４は、左レッグ３０に水密に接合されている。
【００１６】
図２には、右レッグ２８及び右タビ３２のインサイドが示されている。図３には、右レッグ２８及び右タビ３２のアウトサイドが示されている。詳細な図示は省略されているが、左レッグ３０は右レッグ２８の形状が反転した形状を有し、左タビ３４は右タビ３２の形状が反転した形状を有する。
【００１７】
右レッグ２８は、甲部３６を備えている。図２においてその一部が切り欠かれて示されるように、甲部３６は、発泡シート３８と、この発泡シート３８の外面に積層されたジャージー層４０と、この発泡シート３８の内面に積層された他のジャージー層４０とからなる。
【００１８】
発泡シート３８は、多数の気泡を含むポリマー成形体である。様々な合成ゴム及び様々な合成樹脂が、発泡シート３８の基材ポリマーとして用いられうる。発泡シート３８に特に適したポリマーは、ポリクロロプレンである。ポリクロロプレンが用いられた発泡シート３８は、耐候性に優れる。
【００１９】
発泡シート３８の気泡は、独立気泡である。従ってこの発泡シート３８は、非透水性である。気泡は、熱分解型発泡剤の発泡によって形成されうる。用いられる熱分解型発泡剤としては、アゾ化合物、ニトロソ化合物及びトリアゾール化合物が例示される。気泡により、右レッグ２８の柔軟性、伸縮性、保温性及び軽量が達成されうる。発泡シート３８が用いられたウェーダー２０は、履き心地に優れる。
【００２０】
それぞれのジャージー層４０は、伸縮性である。典型的には、ジャージー層４０は、ナイロン糸からなる。発泡シート３８の内面をジャージー層４０が覆うことにより、レッグ２８と着用者の足との摩擦係数が低減される。レッグ２８と足との滑りがよいので、このウェーダー２０は履きやすく、かつ脱ぎやすい。ジャージー層４０により、ぬくもり感も発揮される。
【００２１】
右タビ３２は、本体４２、インサイドバンド４４、インサイド環４６、アウトサイドバンド４８、アウトサイド環５０及びベルト５２を備えている。インサイド環４６は、インサイドバンド４４によって本体４２に取り付けられてる。アウトサイド環５０は、アウトサイドバンド４８によって本体４２に取り付けられてる。ベルト５２は、インサイド環４６とアウトサイド環５０との間に架け渡されている。
【００２２】
図４には、展開されたベルト５２が示されている。このベルト５２は、ベース５４、第一面ファスナー５６及び第二面ファスナー５８を有している。
【００２３】
ベース５４は、リボン状である。典型的には、ベース５４は、織布からなる。ベース５４が、皮革、合成皮革、樹脂シート等からなってもよい。ベース５４は、センター部６０、上側折り返し部６２及び下側折り返し部６４からなる。図４において、矢印Ａ１で示された地点と、矢印Ａ２で示された地点との間が、センター部６０である。図４において、矢印Ａ１で示された地点よりも右側が、上側折り返し部６２である。図４において、矢印Ａ２で示された地点よりも左側が、下側折り返し部６４である。上側折り返し部６２は、センター部６０の右端において、センター部６０と連続している。下側折り返し部６４は、センター部６０の左端において、センター部６０と連続している。
【００２４】
第一面ファスナー５６は、第一フック面６６及び第一ループ面６８からなる。第一フック面６６は、縫製により、センター部６０の表側面に接合されている。第一ループ面６８は、縫製により、上側折り返し部６２の表側面に接合されている。第一フック面６６は、多数のフック７０を備えている。第一ループ面６８は、多数のループ７２を備えている。
【００２５】
第二面ファスナー５８は、第二フック面７４及び第二ループ面７６からなる。第二フック面７４は、縫製により、下側折り返し部６４の裏側面に接合されている。第二ループ面７６は、縫製により、センター部６０の裏側面に接合されている。第二ループ面７６は、センター部６０の左端近傍に偏っている。第二フック面７４は、多数のフック７０を備えている。第二ループ面７６は、多数のループ７２を備えている。
【００２６】
図５では、センター部６０と上側折り返し部６２との境界の近傍にインサイド環４６が位置しており、センター部６０と下側折り返し部６４との境界の近傍にアウトサイド環５０が位置している。図５には示されていないが、センター部６０の下には甲部３６が存在する。ベルト５２は、甲部３６を締め付ける。センター部６０は甲部３６に沿って湾曲しているが、図５では、説明の便宜上、センター部６０が直線状に画かれている。
【００２７】
上側折り返し部６２は、インサイド環４６において折り返される。上側折り返し部６２は、図５において矢印Ａ３で示される方向に移動させられる。移動により、第一フック面６６が第一ループ面６８と係合する。この係合は、フック７０の先端がループ７２に進入することで達成される。係合により、上側折り返し部６２は、図６に示されるように、センター部６０の上に位置する。
【００２８】
下側折り返し部６４は、アウトサイド環５０において折り返される。上側折り返し部６２は、図５において矢印Ａ４で示される方向に移動させられる。移動により、第二フック面７４が第二ループ面７６と係合する。この係合は、フック７０の先端がループ７２に進入することで達成される。係合により、下側折り返し部６４は、図６に示されるように、センター部６０の下に位置する。
【００２９】
第二ループ面７６に対する第二フック面７４の位置は、任意に決定されうる。図６では、第二フック面７４はアウトサイド環５０から離れており、第二ループ面７６はアウトサイド環５０と接している。一方、図７では、第二フック面７４はアウトサイド環５０と接しており、第二ループ面７６はアウトサイド環５０から離れている。図７におけるベルト５２の全長Ｌ２は、図６におけるベルト５２の全長Ｌ１よりも大きい。釣り人の甲が低い場合や、釣り人が強い締め付け力を好む場合は、図６に示された状態で、ベルト５２が用いられる。釣り人の甲が高い場合や、釣り人が弱い締め付け力を好む場合は、図７に示された状態で、ベルト５２が用いられる。図６に示された状態と図７に示された状態との間の状態で、ベルト５２が用いられることもある。第二面ファスナー５８は、ベルト５２の全長を調整する機能を果たす。
【００３０】
図５において矢印Ａ３で示される方向に上側折り返し部６２が移動されられるとき、前述の「中心ずれの移動」が生じると、第一ループ面６８が甲部３６と当接する。第一ループ面６８は、甲部３６を擦りつつ、センター部６０へと移動する。ループ７２は尖部を有しておらず、かつループ７２の材質は一般に軟質である。従って、第一ループ面６８が甲部３６を擦っても、甲部３６に傷が付かない。このウェーダー２０が繰り返し使用されても、甲部３６の外観及び防水性は損なわれない。
【００３１】
前述の通り、このベルト５２では第二面ファスナー５８が全長の調整機能を果たす。従って、第一面ファスナー５６は、調整機能を果たす必要がない。図６及び７から明らかな通り、ベルト５２の全長にかかわらず、第一フック面６６と第一ループ面６８との位置関係は、一定である。第一フック面６６の全体が、第一ループ面６８又は上側折り返し部６２によって覆われている。第一フック面６６は、露出していない。従って、第一フック面６６のフック７０に釣り糸が絡まることがない。第一フック面６６には、砂やゴミが溜まらない。
【００３２】
図８には、センター部６０と第一フック面６６とが示されている。第一フック面６６の幅Ｗ１は、センター部６０の幅Ｗ２よりも小さい。従ってセンター部６０には、一対のマージン７８が形成されている。それぞれのマージン７８により、フック７０と甲部３６との接触が抑制され、甲部３６の傷つきが防止される。傷つき防止の観点から、マージン７８の幅Ｗ３は１ｍｍ以上が好ましく、２ｍｍ以上がより好ましく、３ｍｍ以上が特に好ましい。幅Ｗは７ｍｍ以下が好ましい。
【産業上の利用可能性】
【００３３】
以上説明された面ファスナーは、ウェーダーのみならず、タビ等の種々の釣り用フットウエアに用いられうる。
【符号の説明】
【００３４】
２０・・・ウェーダー
２８・・・右レッグ
３２・・・右タビ
３６・・・甲部
３８・・・発泡シート
４０・・・ジャージー層
４２・・・本体
４６・・・インサイド環
５０・・・アウトサイド環
５２・・・ベルト
５４・・・ベース
５６・・・第一面ファスナー
５８・・・第二面ファスナー
６０・・・センター部
６２・・・上側折り返し部
６４・・・下側折り返し部
６６・・・第一フック面
６８・・・第一ループ面
７０・・・フック
７２・・・ループ
７４・・・第二フック面
７６・・・第二ループ面
７８・・・マージン
【図１】
0005385091.tif 000002
【図２】
0005385091.tif 000003
【図３】
0005385091.tif 000004
【図４】
0005385091.tif 000005
【図５】
0005385091.tif 000006
【図６】
0005385091.tif 000007
【図７】
0005385091.tif 000008
【図８】
0005385091.tif 000009
【図９】
0005385091.tif 000010